(57)【要約】【課題】昇圧回路を効率よく動作させる発光素子駆動回路及びその発光素子駆動回路を提供することである。【解決手段】発光素子駆動回路１０は、明るさを判定してその判定結果を出力するとともに明るさ変化情報を出力する明るさ判定部７０と、輝度設定情報を出力するとともに輝度変化情報を出力する輝度設定部６０と、輝度設定情報に応じた電流値で発光素子を駆動する発光素子駆動部４０と、発光素子の端子電圧と所定の電圧との比較を行う検出比較部５０と、明るさ変化情報あるいは輝度変化情報の少なくとも一方に基づいて発光素子の端子電圧を昇圧するか否かを判定する昇圧判定部３０と、昇圧すると判定されたときに発光素子の端子電圧の昇圧を行い、昇圧しないと判定されたときに発光素子の端子電圧の昇圧を行なわない昇圧回路部２０と、を備える。【選択図】図１
2010067749.tif 000002
【特許請求の範囲】
【請求項１】
照度センサからの照度情報を取得し、明るさを判定してその判定結果を出力するとともに明るさ変化情報を出力する明るさ判定部と、
明るさ判定部の明るさ判定結果に基づいて輝度の設定を行い、その輝度設定情報を出力するとともに輝度変化情報を出力する輝度設定部と、
輝度設定部からの輝度設定情報に応じた電流値の電流で発光素子を駆動する発光素子駆動部と、
発光素子の一方側端子の端子電圧を検出し、所定の電圧との比較を行う検出比較部と、
明るさ変化情報あるいは輝度変化情報の少なくとも一方と検出比較部の出力とに基づいて、発光素子の他方側端子の端子電圧を昇圧するか否かを判定する昇圧判定部と、
昇圧判定部によって昇圧すると判定されたときに発光素子の他方側端子の端子電圧の昇圧を行い、昇圧判定部によって昇圧しないと判定されたときに発光素子の他方側端子の端子電圧の昇圧を行なわない昇圧回路部と、
を備えることを特徴とする発光素子駆動回路。
【請求項２】
請求項１に記載の発光素子駆動回路において、
昇圧回路部は、
電源回路により駆動され、発光素子の他方側端子の端子電圧の昇圧を行う昇圧回路と、
電源回路と発光素子の他方側端子とを接続可能とするスルー接続信号線と、
昇圧判定部によって昇圧すると判定されたときに昇圧回路を機能させるとともにスルー接続信号線によって電源回路と発光素子の他方側端子とを接続させず、昇圧判定部によって昇圧しないと判定されたときにスルー接続信号線によって電源回路と発光素子の他方側端子とを接続させるとともに昇圧回路を機能させない切替回路を有することを特徴とする発光素子駆動回路。
【請求項３】
請求項２に記載の発光素子駆動回路において、
明るさ変化情報が明るい状態から暗い状態へと変化した情報であるとき、
昇圧判定部は、発光素子の他方側端子の端子電圧を昇圧しないと判定し、
切替回路は、スルー接続信号線によって電源回路と発光素子の他方側端子とを接続させるとともに昇圧回路を機能させず、その後、検出比較部の出力に基づいて発光の他方側端子の端子電圧を昇圧するか否かを判定することを特徴とする発光素子駆動回路。
【請求項４】
請求項２に記載の発光素子駆動回路において、
輝度変化情報が設定された輝度が高い状態から低い状態へと変化した情報であるとき、
昇圧判定部は、発光素子の他方側端子の端子電圧を昇圧しないと判定し、
切替回路は、スルー接続信号線によって電源回路と発光素子の他方側端子とを接続させるとともに昇圧回路を機能させず、その後、検出比較部の出力に基づいて発光の他方側端子の端子電圧を昇圧するか否かを判定することを特徴とする発光素子駆動回路。
【請求項５】
請求項１から請求項４のいずれか１に記載の発光素子駆動回路と、
発光素子駆動回路によって駆動される発光素子と、
発光素子によって照明される画像表示装置と、
を備えることを特徴とする携帯電話。
【発明の詳細な説明】
【技術分野】
【０００１】
本発明は、発光素子駆動回路及び携帯電話に係り、特に、発光素子の輝度を可変する発光素子駆動回路及びその発光素子駆動回路を含む携帯電話に関する。
【背景技術】
【０００２】
近年、携帯電話のメイン液晶にてワンセグ放送等の映像を見ることが多くなっており、液晶のバックライトの輝度を変化させる発光素子駆動回路が携帯電話に搭載されていることがある。発光素子駆動回路は、視認性を最適にするために、周囲の明るさに対応して液晶のバックライトの輝度を自動調光することが行われている。具体的には、周囲が明るい時はバックライトの輝度を上げてより明るく、暗い時はバックライトの輝度を下げてより暗くするように調光して視認性を最適にしている。特許文献１には発光素子の輝度調整を行う駆動回路が記載されている。
【０００３】
【特許文献１】特開２００５−３１０８５４号公報
【発明の開示】
【発明が解決しようとする課題】
【０００４】
しかし、周囲が明るくなってバックライトの輝度を上げるためにバックライトに流れる電流値が大きくなるとバックライトの順方向電圧（Ｖｆ）が大きくなるため、バックライトを構成するＬＥＤのカソード端子の端子電圧が下がる。このカソード端子の端子電圧が設定電圧よりも小さくなれば、昇圧回路を動作させてアノード端子の端子電圧を昇圧するが一旦昇圧を行った後に、例えば周囲が暗くなってバックライトの輝度を下げるためにバックライトに流れる電流値が小さくなってバックライトの順方向電圧（Ｖｆ）が小さくなることもある。このような場合にＬＥＤのカソード端子の端子電圧が上がっても昇圧回路が動作状態にあると無駄な消費電流が発生してしまうという問題がある。
【０００５】
本発明の目的は、昇圧回路を効率よく動作させる発光素子駆動回路及びその発光素子駆動回路を含む携帯電話を提供することである。
【課題を解決するための手段】
【０００６】
本発明に係る発光素子駆動回路は、照度センサからの照度情報を取得し、明るさを判定してその判定結果を出力するとともに明るさ変化情報を出力する明るさ判定部と、明るさ判定部の明るさ判定結果に基づいて輝度の設定を行い、その輝度設定情報を出力するとともに輝度変化情報を出力する輝度設定部と、輝度設定部からの輝度設定情報に応じた電流値の電流で発光素子を駆動する発光素子駆動部と、発光素子の一方側端子の端子電圧を検出し、所定の電圧との比較を行う検出比較部と、明るさ変化情報あるいは輝度変化情報の少なくとも一方と検出比較部の出力とに基づいて、発光素子の他方側端子の端子電圧を昇圧するか否かを判定する昇圧判定部と、昇圧判定部によって昇圧すると判定されたときに発光素子の他方側端子の端子電圧の昇圧を行い、昇圧判定部によって昇圧しないと判定されたときに発光素子の他方側端子の端子電圧の昇圧を行なわない昇圧回路部と、を備えることを特徴とする。
【０００７】
また、本発明に係る発光素子駆動回路において、昇圧回路部は、電源回路により駆動され、発光素子の他方側端子の端子電圧の昇圧を行う昇圧回路と、電源回路と発光素子の他方側端子とを接続可能とするスルー接続信号線と、昇圧判定部によって昇圧すると判定されたときに昇圧回路を機能させるとともにスルー接続信号線によって電源回路と発光素子の他方側端子とを接続させず、昇圧判定部によって昇圧しないと判定されたときにスルー接続信号線によって電源回路と発光素子の他方側端子とを接続させるとともに昇圧回路を機能させない切替回路を有することが好ましい。
【０００８】
また、本発明に係る発光素子駆動回路において、明るさ変化情報が明るい状態から暗い状態へと変化した情報であるとき、昇圧判定部は、発光素子の他方側端子の端子電圧を昇圧しないと判定し、切替回路は、スルー接続信号線によって電源回路と発光素子の他方側端子とを接続させるとともに昇圧回路を機能させず、その後、検出比較部の出力に基づいて発光の他方側端子の端子電圧を昇圧するか否かを判定することが好ましい。
【０００９】
また、本発明に係る発光素子駆動回路において、輝度変化情報が設定された輝度が高い状態から低い状態へと変化した情報であるとき、昇圧判定部は、発光素子の他方側端子の端子電圧を昇圧しないと判定し、切替回路は、スルー接続信号線によって電源回路と発光素子の他方側端子とを接続させるとともに昇圧回路を機能させず、その後、検出比較部の出力に基づいて発光の他方側端子の端子電圧を昇圧するか否かを判定することが好ましい。
【００１０】
本発明に係る携帯電話は、上記いずれか１に記載の発光素子駆動回路と、発光素子駆動回路によって駆動される発光素子と、発光素子によって照明される画像表示装置と、を備えることを特徴とする。
【発明の効果】
【００１１】
本発明に係る発光素子駆動回路及び携帯電話によれば、明るさ変化情報あるいは輝度変化情報の少なくとも一方と検出比較部の出力に基づいて、昇圧を行ったり、昇圧を行わなかったりする。これにより、昇圧回路を効率よく動作させることができる。
【発明を実施するための最良の形態】
【００１２】
以下に、本発明に係る実施の形態について添付図面を参照しながら詳細に説明する。また、この説明において、具体的な形状、材料、数値、方向等は、本発明の理解を容易にするための例示であって、用途、目的、仕様等にあわせて適宜変更することができる。
【００１３】
図１は、本発明の一実施形態の発光素子駆動回路１０を含む液晶バックライト輝度変更システム８を示す図である。液晶バックライト輝度変更システム８は、液晶部９０と、照度センサ８０と、発光素子駆動回路１０とを含んで構成される。液晶バックライト輝度変更システム８は、液晶部９０のバックライト９２の輝度を照度センサ８０によって検知された明るさに応じて変更する機能を有する。なお、発光素子駆動回路１０を含んだ液晶バックライト輝度変更システム８は、携帯電話に搭載されているが、携帯電話以外の液晶部９０を有する端末に搭載されるものであってもよい。
【００１４】
液晶部９０は、液晶の素子を組み込んだ画像表示装置である。液晶部９０は、バックライト９２と、図示していない液晶素子と偏光フィルタと、を含んで構成される。液晶部９０は、バックライト９２の光源により発せられた光をさえぎったり透過させたりすることによって表示をする。
【００１５】
バックライト９２は、カソード端子（陰極）に対し、アノード端子（陽極）に順方向に電圧を加えた際に発光する発光素子である。バックライト９２の順方向電圧（Ｖｆ）としては、通常は３．６ｖ付近であるが、この順方向電圧（Ｖｆ）はプロセスバラツキや電流値等によって変動する。また、バックライト９２に流れる電流値を変更することで輝度を変化させることができる。
【００１６】
照度センサ８０は、周囲の明るさ等を検知するセンサである。具体的には、光を照射すると照度に比例した逆電流が流れるフォトダイオードと、電流を電圧に変換する電流電圧変換回路とを含んで構成され、照度を測定することができる。
【００１７】
発光素子駆動回路１０は、明るさ判定部７０と、輝度設定部６０と、発光素子駆動部４０と、昇圧判定部３０と、検出比較部５０と、昇圧回路部２０とを含んで構成される。図２は、明るさ判定部７０と輝度設定部６０のブロック図である。明るさ判定部７０は、段階解析部７０１と明るさ変化解析部７０２とを含んで構成される。段階解析部７０１は、所定のタイミングで照度センサ８０からの照度情報（ルクス）を入力として受け、明るさを１６段階に段階分けて、その明るさの段階判定情報を後述する輝度設定部６０に対して出力する機能を有する。
【００１８】
明るさ変化解析部７０２は、段階解析部７０１によって、１６段階に段階分けされた明るさの段階判定情報を記憶し、前回の明るさの段階判定情報と今回の明るさの段階判定情報の変化を求めて、明るさ変化情報を後述する昇圧判定部３０に対して出力する機能を有する。ここで、明るさ変化情報は、デジタル信号であり、通常は０に設定されているが、明るさが明るい状態から暗い状態へと変化したことを検出した場合には１に設定される。
【００１９】
輝度設定部６０は、輝度選択部６０１と輝度変化解析部６０２とを含んで構成される。輝度選択部６０１は、明るさ判定部７０からの明るさの段階判定情報を入力として受け、その明るさの段階判定情報に対応する輝度を選択し、その選択された輝度に対応する電圧を輝度設定情報として発光素子駆動部４０に対して出力する機能を有する。
【００２０】
輝度変化解析部６０２は、輝度選択部６０１によって選択された輝度情報を記憶し、前回の輝度情報と今回の輝度情報の変化を求めて、輝度変化情報を後述する昇圧判定部３０に対して出力する機能を有する。ここで、輝度変化情報は、デジタル信号であり、通常は０に設定されているが、輝度が高い状態から低い状態へと変化したことを検出した場合には１に設定される。
【００２１】
図３は、発光素子駆動部４０の各要素を示す図である。発光素子駆動部４０は、電流回路部４２と、電流値設定回路部４６とを含んで構成される駆動回路である。発光素子駆動部４０は、輝度設定部６０によって設定された輝度に応じて発光素子に流れる電流が所定の目標値となるように制御する機能を有する。
【００２２】
電流回路部４２は、後述する電流値設定回路部４６によって設定される電流値をバックライト９２に流すカレントミラー回路であり、左側トランジスタ４２ａに流れる電流と右側トランジスタ４２ｂに流れる電流とが同じ値となる。電流回路部４２は、一端がバックライト９２のカソード端子に電気的に接続され、他端が電流値設定回路部４６に電気的に接続されている。
【００２３】
電流値設定回路部４６は、輝度設定部６０によって出力された電圧に基づいた電流値を求め、電流回路部４２に対して電流値の設定を行う機能を有する。電流値設定回路部４６は、Ｄ／Ａ回路４６６と、基準電流源４６８とを含んで構成される。
【００２４】
基準電流源４６８は、所定の電流値の電流を流す電流源である。基準電流源４６８は、一端が所定の電圧を供給する電圧源に接続され、他端がＤ／Ａ回路に電気的に接続されている。Ｄ／Ａ回路４６６は、デジタル信号をアナログ信号に変換する回路である。Ｄ／Ａ回路４６６は、基準電流源４６８によって流される基準電流値と輝度設定部６０によって出力された電圧を入力として受けてアナログ信号に変換し、電流回路部４２にそのアナログ信号を入力する。
【００２５】
図４は、検出比較部５０と昇圧判定部３０と昇圧回路部２０の要素等を示す図である。検出比較部５０は、バックライト９２のカソード端子の端子電圧を検出し、所定の電圧との比較を行う機能を有する。検出比較部５０は、コンパレータ５０１と、第１フリップフロップ５０３と、第２フリップフロップ５０４と、第３フリップフロップ５０５と、アンド回路５０６とを含んで構成される。
【００２６】
コンパレータ５０１は、二つの入力電圧の大きさを比較する回路である。コンパレータ５０１の一方側の入力端子に入力される基準の電圧は、例えば０．２ｖの電位を有する基準電源５０２によって供給される。コンパレータ５０１の他方側の入力端子は、バックライト９２のカソード端子と接続される。コンパレータ５０１は、バックライト９２のカソード端子の端子電圧と基準の電圧との比較を行う。コンパレータ５０１は、バックライト９２のカソード端子の端子電圧が基準の電圧よりも低い電圧のときに１を出力し、バックライト９２のカソード端子の端子電圧が基準の電圧よりも高い電圧のときに０を出力する。
【００２７】
第１フリップフロップ５０３は、所定の周波数のＣＬＫ（クロック）で動作し、コンパレータ５０１の出力を入力として受ける。第１フリップフロップ５０３の出力は、第２フリップフロップ５０４の入力とアンド回路５０６の入力に接続される。
【００２８】
第２フリップフロップ５０４は、所定の周波数のＣＬＫ（クロック）で動作し、第１フリップフロップ５０３の出力を入力として受ける。第２フリップフロップ５０４の出力は、第３フリップフロップ５０５の入力とアンド回路５０６の入力に接続される。
【００２９】
第３フリップフロップ５０５は、所定の周波数のＣＬＫ（クロック）で動作し、第２フリップフロップ５０４の出力を入力として受ける。第３フリップフロップ５０５の出力は、アンド回路５０６の入力に接続される。なお、第１フリップフロップ５０３と第２フリップフロップ５０４と第３フリップフロップ５０５のリセット端子は、昇圧判定部３０によって制御される。
【００３０】
アンド回路５０６は、論理積回路であり、第１フリップフロップ５０３と第２フリップフロップ５０４と第３フリップフロップ５０５の出力が全て１の場合は１を出力し、それ以外の場合は０を出力する。
【００３１】
昇圧判定部３０は、アンド回路５０６の出力が１の時は、昇圧回路部２０のスイッチ２０１をオンし、昇圧回路部２０のスイッチ２０２をオフする制御を行う。昇圧判定部３０は、アンド回路５０６の出力が０の時は、昇圧回路部２０のスイッチ２０１をオフし、昇圧回路部２０のスイッチ２０２をオンする制御を行う。昇圧判定部３０は、明るさ判定部７０からの明るさ変化情報の信号、あるいは輝度設定部６０からの輝度変化情報の信号のいずれか一方が１であるときに、第１フリップフロップ５０３と第２フリップフロップ５０４と第３フリップフロップ５０５にリセットをかけるためにリセット端子にリセット信号を送る機能を有する。
【００３２】
昇圧回路部２０は、昇圧用コンパレータ２２と、昇圧用ＰＷＭ回路２４と、昇圧用トランジスタ２５と、昇圧用コイル２６と、昇圧用ダイオード２７と、昇圧用コンデンサ２８と、昇圧用電源２９とを含んで昇圧回路として構成される。
【００３３】
昇圧用コンパレータ２２は、二つの入力電圧の大きさを比較し、その入力電圧の差を増幅して出力する回路である。昇圧用コンパレータ２２の一方側の入力端子に入力される基準の電圧は、例えば４．２ｖの電位を有する基準電源２１によって供給される。昇圧用コンパレータ２２の他方側の入力端子は、バックライト９２のアノード端子と接続される。昇圧用コンパレータ２２は、バックライト９２のアノード端子の端子電圧と基準の電圧との比較を行う。また、昇圧用コンパレータ２２の出力は、昇圧用ＰＷＭ回路２４に入力される。
【００３４】
スイッチ２０１は、昇圧用コンパレータ２２と昇圧用ＰＷＭ回路２４との間に取り付けられる。スイッチ２０１がオン状態の時は、昇圧用コンパレータ２２と昇圧用ＰＷＭ回路２４とを電気的に接続し、スイッチ２０１がオフ状態の時は、昇圧用コンパレータ２２と昇圧用ＰＷＭ回路２４とを電気的に接続しない状態とする。スイッチ２０１は昇圧判定部３０によって制御される。スイッチ２０２については、後述する。
【００３５】
昇圧用ＰＷＭ回路２４は、変調方法の一つであり、パルス波のデューティー比を変化させて変調する回路である。具体的には、昇圧用コンパレータ２２による比較結果を入力として受け、その比較結果に基づいてパルス波のデューティー比を変更する。そして、比較結果に基づいたパルス波によって、昇圧用トランジスタ２５のスイッチング制御を行う機能を有する。
【００３６】
昇圧用トランジスタ２５は、ゲート端子に電圧をかけ、チャネルの電界により電子または正孔の流れに関門（ゲート）を設ける原理で、ソース・ドレイン端子間の電流を制御するＭＯＳトランジスタである。昇圧用トランジスタ２５は、昇圧用ＰＷＭ回路２４から出されるパルス波がゲート端子に印加されてスイッチング制御がなされる。昇圧用トランジスタ２５は、ゲート端子が昇圧用ＰＷＭ回路２４の出力と電気的に接続され、ドレイン端子が昇圧用コイル２６および昇圧用ダイオード２７のアノード端子と電気的に接続され、ソース端子が接地されている。
【００３７】
昇圧用コイル２６は、一端が昇圧用電源２９に接続され、他端が昇圧用トランジスタ２５のドレイン端子と、昇圧用ダイオード２７のアノード端子に接続されている。昇圧用コイル２６は、昇圧用トランジスタ２５がオン状態となったときに昇圧用電源２９からの電圧が印加される状態となりエネルギが蓄積される。
【００３８】
昇圧用ダイオード２７は、整流作用（電流を一定方向にしか流さない作用）を持つ回路素子である。昇圧用ダイオード２７は、昇圧用トランジスタ２５がオフ状態となったときにエネルギが蓄積された昇圧用コイル２６から昇圧用ダイオード２７を経由して負荷に電流が流される。昇圧用ダイオード２７は、アノード端子が昇圧用コイル２６および昇圧用トランジスタ２５と電気的に接続されている。
【００３９】
昇圧用コンデンサ２８は、静電容量により電荷（電気エネルギ）を蓄えたり、放出したりする回路素子である。昇圧用コンデンサ２８は、昇圧用トランジスタ２５がオフ状態となったときに、昇圧用コイル２６から流れてくる電荷を蓄積する機能を有する。昇圧用コンデンサ２８は、一端側が昇圧用ダイオード２７のカソード端子およびバックライト９２のアノード端子と電気的に接続され、他端側が接地される。
【００４０】
スイッチ２０２は、昇圧用電源２９とバックライト９２のアノード端子との間のスルー信号線２００上に取り付けられる。スイッチ２０２がオン状態の時は、昇圧用電源２９とバックライト９２のアノード端子とを電気的に接続し、スイッチ２０２がオフ状態の時は、昇圧用電源２９とバックライト９２のアノード端子とを電気的に接続しない状態とする。スイッチ２０２は、昇圧判定部３０によって制御される。
【００４１】
続いて、上記構成からなる発光素子駆動回路１０の動作について図１〜図４を参照して説明する。バックライト９２のカソード端子の端子電圧が基準電源５０２から供給される基準の電圧以下になるとコンパレータ５０１の出力が１となる。そして、次のＣＬＫ（クロック）の立ち上がりエッジで、コンパレータ５０１の出力の値である１が第１フリップフロップ５０３に入力として取り込まれ、第１フリップフロップ５０３が１を出力する。その次のＣＬＫ（クロック）の立ち上がりエッジで、第１フリップフロップ５０３の出力の値である１が第２フリップフロップ５０４に入力として取り込まれ、第２フリップフロップ５０４が１を出力する。その次のＣＬＫ（クロック）の立ち上がりエッジで、その第２フリップフロップ５０４の出力の値である１が第３フリップフロップ５０５に入力として取り込まれ、第３フリップフロップ５０５が１を出力する。アンド回路５０６は、第１フリップフロップ５０３と第２フリップフロップ５０４と第３フリップフロップ５０５の出力が全て１のときに、バックライト９２のアノード端子を昇圧する必要があるとして１を出力する。
【００４２】
昇圧判定部３０は、アンド回路５０６の出力が１の時は、昇圧回路部２０のスイッチ２０１をオンし、昇圧回路部２０のスイッチ２０２をオフする制御を行う。このとき、昇圧回路部２０の昇圧用コンパレータ２２は、バックライト９２のアノード端子の端子電圧と基準電源２１から供給される基準の電圧とを比較してその差を出力し、昇圧用ＰＷＭ回路２４は、その出力に応じた昇圧用のＰＷＭ信号である昇圧用ＰＷＭ信号を生成する。
【００４３】
昇圧用トランジスタ２５は、昇圧用ＰＷＭ信号に応じてオンオフ制御がなされ、昇圧用トランジスタ２５がオン状態の場合には、昇圧用コイル２６にエネルギが蓄積される。そして、そのあと昇圧用トランジスタ２５がオフ状態となった場合には、昇圧用コイル２６に蓄積されたエネルギが昇圧用ダイオード２７を介して昇圧用コンデンサ２８に充電され、ひいては、バックライト９２のアノード側の端子電圧を昇圧することができる。
【００４４】
なお、上記において昇圧回路部２０は、昇圧用コンパレータ２２と、昇圧用ＰＷＭ回路２４と、昇圧用トランジスタ２５と、昇圧用コイル２６と、昇圧用ダイオード２７と、昇圧用コンデンサ２８と、昇圧用電源２９とを含んで構成されるものとして説明したが、その他に昇圧機能を有する回路、例えばチャージポンプ回路を用いてもよい。
【００４５】
照度センサ８０が検出する明るさが明るい状態から暗い状態へと変化するときは、明るさ判定部７０からは、明るさが明るい状態から暗い状態へと変化した明るさ変化情報の信号として１が出力される。また、輝度設定部６０からは、輝度が高い状態から暗い状態へと変化した輝度変化情報の信号として１が出力される。このとき輝度設定部６０によって設定される輝度は低い値が設定されることになるから、発光素子駆動部４０によって設定されるバックライト９２の電流値が低い値となる。これにより、バックライト９２の順方向電圧（Ｖｆ）が低くなるためカソード電圧が大きくなり昇圧を行う必要がなくなる場合がある。なお、周囲の明るさが明るい状態から暗い状態へと変化したときに、明るさ変化情報の信号と輝度変化情報の信号のいずれか一方が１を出力する場合もある。
【００４６】
昇圧判定部３０は、明るさ判定部７０からの明るさ変化情報の信号と輝度設定部６０からの輝度変化情報の信号の少なくともいずれか一方が１の時に第１フリップフロップ５０３と第２フリップフロップ５０４と第３フリップフロップ５０５のリセット端子をリセットする信号が伝達されるから、アンド回路５０６の出力は０となる。
【００４７】
昇圧判定部３０は、アンド回路５０６の出力が０であるときは、昇圧回路部２０のスイッチ２０１をオフとし、昇圧回路部２０のスイッチ２０２をオンとする制御を行う。このとき、昇圧用電源２９とバックライト９２のアノード端子は直結されるが、スイッチ２０１がオフの状態となるため昇圧回路の動作は停止する。このように明るさ変化情報や輝度変化情報に応じて昇圧の必要が無い場合に昇圧回路の動作を停止することで、無駄な消費電流の増加を防止することができる。なお、第１フリップフロップ５０３と第２フリップフロップ５０４と第３フリップフロップ５０５のリセット端子によってリセットを行った後は、再びコンパレータ５０１からの出力結果によって昇圧を行うか否かの検索が行われることとなる。
【図面の簡単な説明】
【００４８】
【図１】本発明の一実施形態の発光素子駆動回路を含む液晶バックライト輝度変更システムを示す図である。
【図２】本発明の一実施形態の発光素子駆動回路の明るさ判定部と輝度設定部のブロック図である。
【図３】本発明の一実施形態の発光素子駆動回路の発光素子駆動部の各要素を示す図である。
【図４】本発明の一実施形態の発光素子駆動回路の検出比較部と昇圧判定部と昇圧回路部の要素等を示す図である。
【符号の説明】
【００４９】
８  液晶バックライト輝度変更システム、１０  発光素子駆動回路、２０  昇圧回路部、２１  基準電源、２２  昇圧用コンパレータ、２４  昇圧用ＰＷＭ回路、２５  昇圧用トランジスタ、２６  昇圧用コイル、２７  昇圧用ダイオード、２８  昇圧用コンデンサ、２９  昇圧用電源、３０  昇圧判定部、４０  発光素子駆動部、４２  電流回路部、４２ａ  左側トランジスタ、４２ｂ  右側トランジスタ、４６  電流値設定回路部、５０  検出比較部、６０  輝度設定部、７０  判定部、８０  照度センサ、９０  液晶部、９２  バックライト、２００  スルー信号線、２０１，２０２  スイッチ、４６６  Ｄ／Ａ回路、４６８  基準電流源、５０１  コンパレータ、５０２  基準電源、５０３  第１フリップフロップ、５０４  第２フリップフロップ、５０５  第３フリップフロップ、５０６  アンド回路、６０１  輝度選択部、６０２  輝度変化解析部、７０１  段階解析部、７０２  変化解析部。
【図１】
2010067749.tif 000003
【図２】
2010067749.tif 000004
【図３】
2010067749.tif 000005
【図４】
2010067749.tif 000006